(57)【要約】      （修正有）【課題】駒の動き等を考えながら、指を使い、大人・高齢者では、物忘れの防止、認知症の予防となり、幼児・子供は知育の発達につながる遊具を提供するものである。【解決手段】囲い板により形成した正方形または長方形の筒状の枠において、その枠の内壁に補強支持材を付け、枠の大きさに合わせた水平板を枠に挿入して補強支持材に載せ、水平板を枠に装着し、水平板の四隅等に駒が落下する落下孔を設けたゲーム盤と、指ではじかれて水平板の表面を滑る複数の円形の駒とから構成されるはじき駒ゲーム盤セットである。【選択図】図１
0003151295.tif 000002
【実用新案登録請求の範囲】
【請求項１】
囲い板により形成した正方形または長方形の筒状の枠において、その枠の内壁に補強支持材を付け、枠の大きさに合わせた水平板を枠に挿入して補強支持材に載せ、水平板を枠に装着し、水平板の四隅に駒が落下する落下孔を設けたゲーム盤と、指ではじかれて水平板の表面を滑る複数の円形の駒とから構成されるはじき駒ゲーム盤セット。
【請求項２】
長方形の筒状の枠に装着する水平板について、その四隅だけでなく、長辺の中央部にも落下孔設けた請求項１に記載のはじき駒ゲーム盤セット。
【請求項３】
水平板及び駒、または、水平板あるいは駒のいずれかについて、摩擦係数の低い材料を使用した請求項１ないし請求項２のいずれかに記載のはじき駒ゲーム盤セット。
【請求項４】
落下孔の下に落下した駒を収納するポケット部を備え付けた請求項１ないし請求項３のいずれかに記載のはじき駒ゲーム盤セット
【考案の詳細な説明】
【技術分野】
【０００１】
本考案は、はじき駒を用いたゲーム用具に関するものである。
【背景技術】
【０００２】
女の子の遊びの一つにおはじき（お弾き）というものがある。おはじきは、直径が１〜１．５ｃｍのガラスでできた平たい玉であるが、複数のおはじきの内の一つを指ではじいて他のおはじきにあてていく遊びである。
【０００３】
一方、ビリヤードは、室内で行うスポーツ競技の一つであり、ラシャと呼ばれる布を張ったテーブル上で、キューという棒を使い、静止している玉を撞き、別の玉に衝突させて、それらの玉の起こす動きを自己の予想通りの動きに制御することを目的とした競技である。ビリヤードの競技の中で、ポケットビリヤードという競技がある。これは、長方形のテーブルの四隅と２つの長辺の中央にポケットと呼ばれる孔があり、手球をキューで撞き複数の的玉の一つに衝突させてポケットに落としていく競技である。
【０００４】
人間の手や指先の動きは、言語や思考といった脳の高次機能を担う大脳皮質に影響を与えているといわれている。年齢を重ねると、指先の細かい動作を敬遠しがちになり、大脳への刺激も減少する傾向にあり、指先を意識して動かすようにする必要がある。楽しく指先を動かすことによって、脳に刺激をあたえ、活性化させ、大人・高齢者では、物忘れの防止、認知症の予防となり、幼児・子供は知育の発達につながる。
【０００５】
認知症予防のために指を動かして、ゲームを行ったり物を作ったりする遊具は、多く市販されている。こうした中で、老人介護に関与してきた本考案者は、高齢者が室内で思考しつつ手軽に指先を動かして、さらに会話が弾む遊具等がないか考えてきた。
この経過において、前述のおはじきとビリヤードを組み合わせたような遊具を思いついた。すなわち、四角形の四隅に孔を設けた盤上におはじきに似た円形の駒を複数置き、この駒を指ではじいて他の駒にあてて、他の駒を四隅にある孔のいずれかに落としていくゲーム盤である。駒を別の駒にあてていき、その二つの駒の動きを予想することが必要であり、また、ゲームのルールは、幾通りも考えられ、思考しつつ、指を使い会話が楽しめるものとして適している遊具と考えられた。
【０００６】
このような遊具としては、喧嘩おはじきとサッカーゲームを組み合わせた２人用ゲーム玩具（特許文献１）がある。これは、２人のプレーヤーがゲーム盤の上に配置したおはじきの駒とボールをはじいて、サッカーをしながら互いの駒を殺し合うゲームをするものである。また、おはじきに合戦の家紋・武将名・民話・童話・昔話などのキャラックターなどを表示し、さらに磁気を利用し、戦いやゲーム等にあった任意の図案や凹凸・磁気などを付加した盤を使う対戦おはじき（特許文献２）がある。
【０００７】
前者ではゲームに２名しか参加できず、参加者がゲームのルールを決めていくことができない、また後者では、ゲームのルールが不明であり、合戦の家紋・武将名などを表示した複数のおはじきを準備する必要がある。
【先行技術文献】
【特許文献】
【０００８】
【特許文献１】特開平８−３２２９７９
【特許文献２】実用新案登録第３１２７４５５号
【０００９】
上記の各先行技術では、参加者がゲームのルールを決めたり、３名以上が参加することができない等のゲームの多様性、柔軟性に欠けている。
【考案の概要】
【考案が解決しようとする課題】
【００１０】
本考案では、ゲームのルールを参加者が決め、思考しつつ、指を使い、さらに会話が楽しめるものであって、室内で気軽に遊ぶことができ、大人・高齢者では、物忘れの防止、認知症の予防となり、幼児・子供は知育の発達につながる遊具を提供するものである。
【課題を解決するための手段】
【００１１】
すなわち、請求項１の考案は、囲い板により形成した正方形または長方形の筒状の枠において、その枠の内壁に補強支持材を付け、枠の大きさに合わせた水平板を枠に挿入して補強支持材に載せ、水平板を枠に装着し、水平板の四隅に駒が落下する落下孔を設けたゲーム盤と、指ではじかれて水平板の表面を滑る複数の円形の駒とから構成されるはじき駒ゲーム盤セットである。
【００１２】
本考案は、水平板の上で円形の駒を指ではじいて滑らせ、他の駒にあてて、これを滑らせ、水平板の四隅に開けた落下孔にその駒を落として遊ぶゲームである。囲い板を複数枚使用して正方形または長方形の筒状の枠が形成される。枠の大きさ、すなわち正方形または長方形の各辺の長さは、駒を指ではじくことができる範囲で、子供用あるいは大人用として任意に決められる。囲い板の厚さと幅（高さ）の寸法は略同じであるが、長さは枠が正方形であるか長方形であるかにより異なってくる。枠の内壁には補強支持材を付けて、この枠の形状を維持し、さらに枠に挿入させた水平板を補強支持材に載せて装着している。
【００１３】
「水平板を枠に挿入して」としたのは、枠の平面上に水平板を置くのではなく、枠の内部に水平板を入れて、壁と水平板が隙間なく密着して装着されることを意味するためである。水平板は、正方形または長方形の枠の内部に装着され、水平板と枠は、いわゆるＨ型となっている。枠の内部としたのは、水平板より上の枠は、駒を跳ね返す役割を果たし、水平板より下の枠は脚部としての役割をする。
【００１４】
落下孔は、水平板の４つの角部すなわち四隅に設けられる。落下孔は、ビリヤードのポケットの役割をするものであり、駒が落下する箇所である。その落下孔の大きさは、駒が落下すればよく駒の大きさにより決められる。落下孔の形は、四隅はそれぞれ直角であり、四隅の各辺が交差する頂点から一定の半径の円弧状とする、あるいは、頂点から交差する辺に沿った距離を等しくした点を結んだ直角３角形あるいは正方形等が考えられるが、これに限定するものではない。
【００１５】
駒はいわゆるおはじきに代わるものであり、円形であって一定の厚さがあり、木製、プラスチック製、ガラス製、セラミック製等があるが、これらに限定するものではなく、水平板上を滑るものであればよい。その大きさや重量は、指ではじくため、ある程度の範囲内で決められる。
【００１６】
続いて請求項２の考案は、長方形の筒状の枠に装着する水平板について、その四隅だけでなく、長辺の中央部にも落下孔設けた請求項１に記載のはじき駒ゲーム盤セットである。
【００１７】
長方形の水平板では、落下孔を水平板の四隅だけでなく、長辺の中央部にも落下孔を設けて、そのゲームをより楽しくするためである。長方形の水平板の長辺中央部の落下孔の形状は、四隅の落下孔と同じ半円状あるいは正方形等が考えられるが、これらに限定するものではない
【００１８】
続いて請求項３の考案は、水平板及び駒、または、水平板あるいは駒のいずれかについて、摩擦係数の低い材料を使用した請求項１ないし請求項２のいずれかに記載のはじき駒ゲーム盤セットである。
【００１９】
摩擦係数の低い材料を使用することには、水平板や駒の素材を摩擦係数の低い材料とするだけでなく、木製等の水平板や駒の表面を摩擦係数の低い材料のフィルムで覆う方法も含まれる。摩擦係数の低い材料としては、代表的なものにフッ素樹脂が挙げられる。また、フッ素樹脂には及ばないが、ポリイミドやポリアセタール等の樹脂がある。これらの摩擦係数の低い樹脂を素材として水平板として使用したり、木製等の水平板の表面に、摩擦係数の低い樹脂フィルムを張って使用するものである。同様に、駒についても摩擦係数の低い樹脂を素材として使用したり、木製等の駒の表面に、摩擦係数の低い樹脂フィルムを張って使用するものである。水平板と駒の両方を上記のように摩擦係数の低いものにするだけでなく、水平板あるいは駒のいずれか一つを摩擦係数の低いものにすることもできる。
【００２０】
続いて、請求項４の考案は、落下孔の下に落下した駒を収納するポケット部を備え付けた請求項１ないし請求項３のいずれかに記載のはじき駒ゲーム盤セットである。
【００２１】
はじかれて落下孔に落下した駒の枚数を数えたり、水平板の下で駒が散らばったりすることがないように、落下孔の下に駒を収納するポケット部が必要である。ポケット部は、ネット状の袋を落下孔の下に備え付けたり、枠、補強支持材、水平板とに囲まれた空間に底板をつけて合板等で囲むことにより備え付けられるが、これらに限定するものではなく、落下孔に落下した駒が収納できれば足りる。
【考案の効果】
【００２２】
請求項１の考案は、ゲームのルールを参加者が決め、思考しつつ、指を使い、さらに会話が楽しめるものであって、室内で気軽に遊ぶことができ、大人・高齢者では、物忘れの防止、認知症の予防となり、幼児・子供は知育の発達につながる効果を有する。
【００２３】
請求項２の考案では、長方形の水平板では、四隅だけでなく、長辺の中央部にも落下孔を設け、ゲームをより楽しいものにすることができる。
【００２４】
請求項３の考案では、摩擦係数を下げて、駒の滑りやすさを向上させるため、駒をはじき別の静止している駒に衝突させて、それらの起こす動きがより活発となり、駒をはじく方向、強さを予想しつつ競技ができ、思考能力を高めることができる。
【００２５】
請求項４の考案では、落下孔に落下した駒が水平板の下で散らばらないようにして、各落下孔に落下した駒の枚数を数えたりすることができる。
【図面の簡単な説明】
【００２６】
【図１】ゲーム盤の平面図と正面図
【図２】ゲーム盤斜視図
【図３】枠と補強支持材の断面図
【図４】駒の平面図  正面図  斜視図
【図５】駒の配置例
【図６】ゲーム盤落下孔のポケット部図
【図７】ゲーム盤試作品の裏面と表面
【図８】駒を配置したはじき駒ゲーム盤セットの試作品
【考案を実施するための形態】
【００２７】
以下に本考案の実施例を示す。
【実施例１】
【００２８】
図１は、囲い板により形成した略正方形の筒状の枠２の内壁２１に補強支持材３を付け、水平板４を枠２に挿入して補強支持材３に載せ、水平板４を枠２に装着したゲーム盤１である。囲い板の枠２と補強支持材３、及び水平板４は、それぞれ市販の板材及び化粧合板を用いて作製した。図３のように、補強支持台３には、落下孔５のため四隅を隅切りした補強支持材３１と四隅がある補強支持材３２等があるが、枠の背が高くゲーム盤１が不安定になる場合には、四隅がある補強支持材３２を枠２の内壁に付け、さらにその上に四隅を隅切りした補強支持材３１を付けることが好ましい。図１のゲーム盤では、補強支持材３は、枠が低く、四隅を隅切りした補強支持材３１のみを用い、四隅がある補強支持材３２は使用していない。
【００２９】
図１及び図２の落下孔５の形状は、四隅の頂点から各辺の等距離の点を結んだ直角三角形としているが、円弧状、正方形等各形状にすることもできる。落下孔５の形状により、これに合わせて補強支持材３の形状を自由に変えることもできる。補強支持材３は、枠２の形状を安定させ、水平板４を載せるものであり、その機能をすれば形状を問わない。水平板の上部１１は駒を滑らせるゲームの場として使用され、平板の上部１１の枠は、駒を跳ね返す壁として機能し、水平板の下部１２の枠は、ゲーム盤の脚部として機能する。
【００３０】
駒は、図４に示すように、円形で所定の厚さを持っている。図４は上から駒の平面図、正面図、斜視図である。ここでは、ポリイミド系の樹脂を使用している。駒の材料やその表面への数字等の記載は自由である。図示しないが、駒の水平板上での滑りやすさのため、駒の水平板と接する面を凹状にしてその面積を減らすこともできる。また駒の配置例を図５に示す。
【実施例２】
【００３１】
図６は、落下孔のポケット部の平面図、正面図、側面図である。補強支持材３は、四隅がある補強支持材３２の上に四隅を隅切りした補強支持材３１が枠２に取り付けられ、四隅を隅切りした補強支持材３１上に水平板４が装着されている。落下孔５のポケット部は枠と四隅を隅切りした補強支持材３１と落下孔のポケット部５１の底板５２で形成されている。図６では、四隅を隅切りした補強支持材３１も図面上では表現されているが、実際には水平板４の下にあり、見ることはできない。
【実施例３】
【００３２】
図７にゲーム盤の底面（１）と表面（２）の写真を、図８にゲーム盤と駒のはじき駒ゲーム盤セットの写真を示す。ただし、図８においてゲーム盤に駒を配置しているが、駒の配置はこの配置方法に限られず、自由にルールを決め、自由に配置することができる。
【産業上の利用可能性】
【００３３】
本考案では、ゲームのルールを参加者が自由に決めることができ、駒の動き等を考えながら、指を使い、さらに会話が楽しめるものであって、室内で気軽に遊ぶことができ、大人・高齢者では、物忘れの防止、認知症の予防となり、幼児・子供は知育の発達につながる遊具である。さらに製作費の安価なことから需要が期待される。
【符号の説明】
【００３４】
１  ゲーム盤    １１  水平板の上部  １２  水平板の下部
２  （囲い板により形成した正方形または長方形の）枠  ２１  枠の内壁
３    補強支持材  ３１  四隅を隅切りした補強支持材  ３２  四隅がある補強支持材
４    水平板
５    落下孔  ５１  落下孔のポケット部  ５２  落下孔のポケット部の底板
６    駒
【図１】
0003151295.tif 000003
【図２】
0003151295.tif 000004
【図３】
0003151295.tif 000005
【図４】
0003151295.tif 000006
【図５】
0003151295.tif 000007
【図６】
0003151295.tif 000008
【図７】
0003151295.tif 000009
【図８】
0003151295.tif 000010